(57)【要約】【課題】シャッター本体の上昇を規制するためだけの操作を必要としない利便性に優れたシャッターユニットを備えた窓ユニットを提供する。【解決手段】建具と、建具の外側に設けられたシャッターユニットと、を有する窓ユニットであって、前記シャッターユニットの昇降自在に設けられたシャッター本体の下端側に設けられ、前記建具側に突出されたストッパーと、前記建具の外障子の下端側に設けられ、前記シャッターユニット側に突出された規制部と、を有し、前記規制部は、前記シャッター本体を閉めた状態にて前記ストッパーの上方に配置され、前記シャッター本体の上昇を規制する。【選択図】図３
2008019609.tif 000002
【特許請求の範囲】
【請求項１】
建物の内外を連通する窓に設けられた建具と、前記建具の外側に設けられたシャッターユニットと、を有する窓ユニットであって、
前記シャッターユニットの昇降自在に設けられたシャッター本体の下端側に設けられ、前記建具側に突出されたストッパーと、
前記建具の外障子の下端側に設けられ、前記シャッターユニット側に突出された規制部と、を有し、
前記規制部は、前記シャッター本体を閉めた状態にて前記ストッパーの上方に配置され、前記シャッター本体の上昇を規制することを特徴とする窓ユニット。
【請求項２】
建物の内外に連通する窓に設けられ網戸を有する建具と、前記網戸の外側に設けられたシャッターユニットと、を有する窓ユニットであって、
前記シャッターユニットの昇降自在に設けられたシャッター本体の下端側に設けられ、前記網戸側に突出されたストッパーと、
前記網戸の下端側に設けられ、前記シャッターユニット側に突出された規制部と、を有し、
前記規制部は、前記シャッター本体を閉めた状態にて前記ストッパーの上方に配置され、前記シャッター本体の上昇を規制することを特徴とする窓ユニット。
【請求項３】
請求項１または請求項２に記載の窓ユニットであって、
前記シャッターユニットは、前記シャッター本体を上昇させて収納する収納部を有し、
前記ストッパーは、前記シャッター本体の下端が前記収納部に収納されることを防止するためのストッパーであることを特徴とする窓ユニット。
【請求項４】
請求項１乃至請求項３のいずれかに記載の窓ユニットであって、
前記ストッパーは、見込み方向に向かって進退可能な可動突出部を有し、
前記可動突出部は、前記ストッパーが上方から下方に向かって移動する際に、前記規制部と接触して、前記シャッター本体側に退行移動することを特徴とする窓ユニット。
【請求項５】
請求項４に記載の窓ユニットであって、
前記可動突出部は、前記シャッター本体から突出する方向に向かって付勢されて突出していることを特徴とする窓ユニット。
【発明の詳細な説明】
【技術分野】
【０００１】
本発明は、建具や網戸の外側にシャッターユニットが設けられた窓ユニットに関する。
【背景技術】
【０００２】
従来、サッシが設けられた窓開口の室外側を、複数のスラットを有するシャッターカーテン（シャッター本体）が昇降して開閉するシャッターユニットが知られている。このようなシャッターユニットは複数のスラットの下端に設けられた幅木が、シャッターカーテンの閉鎖時に下枠に当接するように構成されている（例えば、特許文献１参照）。幅木には施錠用の係合部が設けられており、下枠にスライド可能に設けられた施錠体が係合部と係合してシャッターカーテンの上昇が規制されるように構成されている。そして、シャッターカーテンの上昇を規制する際には、シャッターカーテンを下降させた後に施錠体をスライドさせて係合部の上に位置させる。一方、規制を解除する場合には、施錠体をスライドさせて係合部上から許容位置に移動させることによりシャッターカーテンを上昇させることが可能となる。
【特許文献１】特開２００５−１６１５０号公報
【発明の開示】
【発明が解決しようとする課題】
【０００３】
上記従来のシャッターカーテンの上昇を規制する際には、シャッターカーテンが下枠に当接した後に、シャッターカーテンを閉める動作及び障子等を閉める動作とは異なる動作により施錠体をスライドさせて係合体と係合させなければならず、操作が煩雑であるという課題があった。
【０００４】
本発明は、かかる課題に鑑みてなされたものであり、その目的とするところは、特有の操作をすることなくシャッター本体の上昇を規制することが可能な利便性に優れたシャッターユニットを備えた窓ユニットを提供することにある。
【課題を解決するための手段】
【０００５】
かかる目的を達成するために本発明の窓ユニットは、建物の内外を連通する窓に設けられた建具と、前記建具の外側に設けられたシャッターユニットと、を有する窓ユニットであって、前記シャッターユニットの昇降自在に設けられたシャッター本体の下端側に設けられ、前記建具側に突出されたストッパーと、前記建具の外障子の下端側に設けられ、前記シャッターユニット側に突出された規制部と、を有し、前記規制部は、前記シャッター本体を閉めた状態にて前記ストッパーの上方に配置され、前記シャッター本体の上昇を規制することを特徴とする窓ユニットである。
【０００６】
このような窓ユニットによれば、シャッター本体を閉めた状態では、シャッター本体の下端側に設けられたストッパーの上方に、外障子の下端側に設けられた規制部が配置されるので、シャッター本体の上昇を規制するためだけに特別な操作をすることなくシャッター本体の上昇を規制することが可能である。また、シャッター本体は建具の外側に設けられており、シャッター本体のストッパーが外障子の規制部により室内側にて上昇が規制されるので、シャッター本体が室外側から上昇されることを防止することが可能である。
【０００７】
また、建物の内外に連通する窓に設けられ網戸を有する建具と、前記網戸の外側に設けられたシャッターユニットと、を有する窓ユニットであって、前記シャッターユニットの昇降自在に設けられたシャッター本体の下端側に設けられ、前記網戸側に突出されたストッパーと、前記網戸の下端側に設けられ、前記シャッターユニット側に突出された規制部と、を有し、前記規制部は、前記シャッター本体を閉めた状態にて前記ストッパーの上方に配置され、前記シャッター本体の上昇を規制することを特徴とする窓ユニットである。
【０００８】
このような窓ユニットによれば、シャッター本体を閉めた状態では、シャッター本体の下端側に設けられたストッパーの上方に、網戸の下端側に設けられた規制部が配置されるので、シャッター本体の上昇を規制するためだけに特別な操作をすることなくシャッター本体の上昇を規制することが可能である。また、シャッター本体は建具の外側に設けられており、シャッター本体のストッパーが網戸の規制部により室内側にて上昇が規制されるので、シャッター本体が室外側から上昇されることを防止することが可能である。
【０００９】
かかる窓ユニットであって、前記シャッターユニットは、前記シャッター本体を上昇させて収納する収納部を有し、前記ストッパーは、前記シャッター本体の下端が前記収納部に収納されることを防止するためのストッパーであることが望ましい。  
このような窓ユニットによれば、シャッター本体を閉めた状態でシャッター本体の上昇を規制するストッパーは、シャッター本体の下端が収納部に収納されることを防止するためのストッパーなので、シャッター本体の上昇を規制するためだけに新たなストッパーを設ける必要がない。このため、シャッターユニットに何らの加工等を加えることなく、また、コストを上げることなく外側からのシャッター本体の上昇を防止する機能を備えることが可能である。
【００１０】
かかる窓ユニットであって、前記ストッパーは、見込み方向に向かって進退可能な可動突出部を有し、前記可動突出部は、前記ストッパーが上方から下方に向かって移動する際に、前記規制部と接触して、前記シャッター本体側に退行移動することが望ましい。  
このような窓ユニットによれば、ストッパーの可動突出部は上方から下方に向かって移動する際に規制部と接触するとシャッター本体側に退行移動するので、たとえストッパーが規制部の上方に位置しているときにシャッター本体を下降させたとしても、規制部とストッパーとが接触して損傷することはない。このため、操作者は、シャッター本体を降下させる前に、規制部が何処に位置しているかを意識することなくシャッター本体を降下させることが可能である。
【００１１】
かかる窓ユニットであって、前記可動突出部は、前記シャッター本体から突出する方向に向かって付勢されて突出していることが望ましい。  
このような窓ユニットによれば、可動突出部はシャッター本体から突出する方向に付勢されているので、シャッター本体側に押圧されない場合には突出している。このため、シャッター本体が上方から下方に向かって移動する際に、可動突出部が規制部にて押圧される際には退行移動し、規制部との接触がなくなると突出して、シャッター本体の上昇を規制する機構を実現することが可能である。
【発明の効果】
【００１２】
本発明によれば、特有の操作をすることなくシャッター本体の上昇を規制することが可能な利便性に優れたシャッターユニットを備えた窓ユニットを提供することができるという効果がある。
【発明を実施するための最良の形態】
【００１３】
以下、本発明の一実施形態に係る窓ユニットについて図１〜３を参照して説明する。
【００１４】
本実施形態にかかる窓ユニット１０は、建物の内外を連通する窓に設けられた建具２０と、建具２０の外側に設けられたシャッターユニット３０と、を有している。
【００１５】
建具２０は、建物の躯体１に設けられた開口３に取り付けられる枠体２２と、枠体２２に設けられたレールに案内されて移動する内障子２４、外障子２６、網戸２８を有している。枠体２２は、躯体１側に固定される建具２０用の枠体と、建具２０用の枠体に固定されるシャッターユニット３０用の枠体とにて構成されているが、以下の説明では、建具２０用の枠体とシャッターユニット３０用の枠体とを区別することなく、上下に配置される横枠と、左右に配置される縦枠として説明する。
【００１６】
シャッターユニット３０は、複数のスラット３２ａが上下方向に連結されると共に昇降自在に設けられたシャッター本体３２と、シャッターユニット３０の上側に設けられシャッター本体３２を巻き上げて収納するための収納部３４とを有している。
【００１７】
シャッター本体３２の下端には、シャッター本体３２が下ろされた際に、枠体２２を構成する下側の横枠２２ａに当接される座板部３２ｂと、シャッター本体３２が巻き上げられて上昇した時に、座板部３２ｂが収納部３４に入り込まないように、上側の横枠２２ｃに当接されるストッパー３２ｃとを有している。ストッパー３２ｃは、建具２０側に突出させて座板部３２ｂに設けられており、枠体２２を構成するいずれかの縦枠２２ｂの近傍に配置されている。本実施形態では、室内側から見て左側に位置する縦枠２２ｂの近傍にストッパー３２ｃが設けられている。
【００１８】
また、座板部３２ｂには見付け方向のほぼ中央部に、シャッター本体３２が下ろされた状態にて施錠するためのロック機構３２ｄが設けられており、このロック機構３２ｄを室内側から操作することにより下側の横枠２２ａに設けられた係合部（不図示）と係合して施錠されるように構成されている。
【００１９】
網戸２８の下端側には、シャッターユニット３０側に向かって突出された規制部２８ａが設けられている。規制部２８ａは、網戸２８の下側の横框２８ｃに設けられ、室内側から見て左側となる縦框２８ｂの近傍に配置されている。そして、左側の縦枠２２ｂに網戸２８の縦框２８ｂが当接され、シャッター本体３２が下側の横枠２２ａに当接されたときに、ストッパー３２ｃが規制部２８ａの下方に僅かな間隙を有して配置されるように構成されている。
【００２０】
次に、本実施形態の窓ユニットの操作手順について説明する。
【００２１】
まず、シャッター本体３２が開いている状態から閉めるときには、内障子２４、外障子２６、網戸２８のうちの規制部が設けられている部材を左側の縦枠２２ｂから十分に離れる程度開放する。図３（ａ）の例では、網戸２８を左側の縦枠２２ｂから十分に離れる程度開放する。このとき、規制部２８ａは網戸２８と共に移動し、ストッパー３２ｃの真下の領域から外れた領域に配置される。
【００２２】
次に、図３（ｂ）に示すようにシャッター本体３２を手動又は自動にて降下させて、下側の横枠２２ａに当接させ、ロック機構３２ｄを操作して施錠する。その後、網戸２８を左側の縦枠２２ｂに当接させる。このとき、図３（ｃ）に示すように、網戸２８と一体に構成された規制部２８ａは、ストッパー３２ｃの上方に移動される。その後、内障子２４及び外障子２６が閉じられてクレセント等が操作され内障子２４と外障子２６とが施錠される。
【００２３】
本実施形態の窓ユニット１０によれば、シャッター本体３２を閉めた状態では、シャッター本体３２の座板部３２ｂに設けられたストッパー３２ｃの真上の領域に、網戸２８の下側の横框２８ｃに設けられた規制部２８ａが配置されるので、シャッター本体３２の上昇を規制することが可能である。このとき、操作者はシャッター本体３２を降下させる操作及び網戸を閉止させる操作をするだけで、シャッター本体３２の上昇を規制させることが可能である。このため、シャッター本体３２の上昇を規制させるためだけに何らの操作もしないので利便性に優れた窓ユニット１０を実現することが可能である。また、シャッター本体３２は網戸２８を有する建具２０の外側に設けられて、規制部２８ａにより室内側にてストッパー３２ｃの上昇が規制されるので、シャッター本体３２を室外側から不正に上昇させて開けられることを防止することが可能である。本実施形態においては、シャッター本体３２を降下させた後に、ロック機構３２ｄを操作して施錠する例について説明したが、施錠しなくともストッパー３２ｃの上方に規制部２８ａを位置させることにより、シャッター本体３２の上昇を防止することは可能である。
【００２４】
また、ストッパー３２ｃは、シャッター本体３２の下端が収納部３４に収納されることを防止するためのストッパー３２ｃなので、シャッター本体３２の上昇を規制するためだけに新たなストッパーを設ける必要はない。このため、シャッターユニット３０に何らの加工等を加えることなく、また、コストを上げることなくシャッター本体３２が外側から不正に上昇されることを防止する機能を備えることが可能である。
【００２５】
図４は、建具２０に網戸２８が設けられていない場合に、外障子２６に規制部２６ａを備えた第１変形例である。
【００２６】
第１変形例の場合には、外障子２６を閉めた際に外障子２６の戸先框が、左側の縦枠２２ｂに当接されるように構成されている。そして、規制部２６ａは、外障子２６の下側の横框２６ｂに、シャッターユニット３０側に向かって突出させて設けられている。この規制部２６ａも、網戸２８に設けられた上記実施形態の規制部２８ａと同様に室内側から見て左側となる縦框２２ｂの近傍に配置されている。
【００２７】
第１変形例の窓ユニット１０によれば、網戸２８より重量があり丈夫な外障子２６に規制部２６ａが設けられているので、網戸２８に規制部２８ａが設けられた場合より、シャッター本体３２の上昇を防止する機能に対する信頼性が向上する。そして、シャッター本体３２は室外側から、より開けられ難くなるので、シャッターユニット３０の防犯性が向上する。
【００２８】
次に、第２変形例について図５〜６を参照して説明する。第２変形例は、網戸２８側に向かって突出する可動突出部５４を有するストッパー５０が座板部３２ｂに設けられている。
【００２９】
上記実施形態のストッパー３２ｃは中実のブロック状の部材であったが、第２変形例のストッパー５０は、シャッター本体３２の座板部３２ｂに固定されるストッパー本体５２と、ストッパー本体５２に設けられ、見込み方向に向かって進退可能な可動突出部５４とを有している。
【００３０】
ストッパー本体５２は、内部に中空部５２ａを有して上端が水平面を備えた部材であり、見込み方向の突出量は、上記ストッパー３２ｃより少なく、シャッター本体３２が昇降しても、網戸２８に設けられた規制部６０と間隔を隔てて対向可能に形成されている。また、ストッパー本体５２の網戸２８側の下部に可動突出部５４が回動自在に支持されている。
【００３１】
可動突出部５４は、下端部が支持されて回動することにより、ストッパー本体５２の網戸２８側に開口５２ｂを有する中空部５２ａに収納されたり、ストッパー本体５２から網戸２８側に突出するように構成されている。また、可動突出部５４は、回動軸５３に設けられた捻りばね５５によりシャッター本体３２から突出する方向に向かって付勢されている。このため、可動突出部５４は外力が作用しないときには突出した状態が保たれている。
【００３２】
可動突出部５４の上部は、回動軸５３を中心として描かれる円弧状の曲面を有する曲面部５４ａが形成されている。曲面部５４ａの網戸２８側の端部及びシャッター本体３２側の端部には、可動突出部５４が捻りばね５５により付勢されて最も突出した際に鉛直上方に向かう突起５４ｂ、５４ｃが見付け方向に沿って設けられている。網戸２８側の端部に設けられた突起は、網戸２８に設けられた規制部６０と係合するための係合突起５４ｂであり、シャッター本体３２側の端部に設けられた突起は、付勢されて最も突出した状態を維持すべくストッパー本体５２と係合するための状態維持突起５４ｃである。
【００３３】
また、可動突出部５４の網戸２８側の面は、ほぼ半分から下側の部位が、上方に向かって網戸２８に近接する方向に傾斜する傾斜面５４ｄが形成されている。そして、傾斜面５４ｄの下端部は、支持されているストッパー本体５２の先端側に位置し、可動突出部５４の上側のほぼ半分は傾斜面５４ｄから繋がってほぼ鉛直方向に沿う鉛直面５４ｅが形成されている。鉛直面５４ｅの見込み方向の位置は、可動突出部５４が最も突出した状態にて、網戸２８に設けられた規制部６０の先端より網戸２８側に位置している。
【００３４】
規制部６０は、下面が可動突出部５４の曲面部５４ａとほぼ同じ曲率にて対面する曲面を有しており、その曲面には、最も突出した可動突出部５４の係合突起５４ｂが下方から挿入されて係合される係合凹部６０ａが設けられている。
【００３５】
そして、シャッター本体３２が開いている状態、すなわち、ストッパー５０が規制部６０の上方に位置している状態では、図６（ａ）に示すように可動突出部５４は最も突出している状態が維持されている。
【００３６】
網戸２８が縦枠２２ｂに当接され、かつ、可動突出部５４が最も突出している状態でシャッター本体３２が降下すると、図６（ｂ）に示すようにストッパー５０の傾斜面５４ｄが規制部６０の先端に接触する。このとき、可動突出部５４は規制部６０によりシャッター本体３２側に押圧されて回動軸５３を中心に回動しつつ、ストッパー５０の中空部５２ａに収納される。そして、可動突出部５４は規制部６０と対向している間は図６（ｃ）に示すように押圧され続け、規制部６０の下方に抜けた際には捻りばね５５により押し戻されて、図５に示すように最も突出している状態となり下側の横枠２２ａに当接される。すなわち、可動突出部５４は、ストッパー５０が上方から下方に向かって移動する際に、規制部６０と接触して、シャッター本体３２側に退行移動するように構成されている。
【００３７】
次に、第３変形例について図７〜８を参照して説明する。第３変形例は、網戸２８側に向かって突出する可動突出部５８を有するストッパー５０が座板部３２ｂに設けられている。
【００３８】
上記第２変形例では可動突出部５４が回動軸５３を中心に回動することにより突出する形態について説明したが、第３変形例では、ストッパー５０が有する可動突出部５８はほぼ水平方向に移動することによりシャッター本体３２から突出する。
【００３９】
ストッパー本体５７は、内部に中空部５７ａを有して上端が水平面を備えた部材であり、見込み方向の突出量は、第２変形例のストッパー本体５２と同様に、シャッター本体３２が昇降しても、網戸２８に設けられた規制部６２と間隔を隔てて対向可能に形成されている。
【００４０】
ストッパー本体５７の内部には、ストッパー本体５７と可動突出部５８との間に介在させて圧縮ばね５９が設けられている。この圧縮ばね５９により可動突出部５８はシャッター本体３２から突出する方向に付勢されており、ストッパー本体５７の網戸２８側に開口を有する中空部５７ａに収納されたり、ストッパー本体５７から網戸２８側に突出するように構成されている。そして、可動突出部５８は外力が作用しないときには突出した状態が保たれている。
【００４１】
可動突出部５８は、上面と下面とが水平な平坦な面を有し、網戸２８側の面はほぼ半分より下側が鉛直な面であり、ほぼ半分より上側は上方に向かって網戸２８側に近づくように傾斜して規制部６２と接触する接触面５８ｂを有している。また、可動突出部５８のシャッター本体３２側の端部には、上面から上方に、下面から下方にそれぞれ突設された突起５８ａが設けられている。この突起５８ａは、可動突出部５８が圧縮ばね５９に付勢されたときに可動突出部５８がストッパー本体５７から抜けることを防止する機能を有しており、突起５８ａがストッパー本体５７の開口５７ｂの縁部と係合した状態が、可動突出部５８が最も突出した状態となる。可動突出部５８が最も突出された位置では、可動突出部５８の先端は、規制部６２の先端より網戸２８側に位置している。
【００４２】
網戸２８に設けられている規制部６２は、ほぼ半分で互いに異なる角度を有するとともに、上方に向かって網戸２８側に近づくような傾斜を有する２つの傾斜面を有しており、上傾斜面６２ａより下傾斜面６２ｂの方が急な勾配を有し、下傾斜面６２ｂには、上方からストッパー５０が降下した際に接触面５８ｂとほぼ対面するような傾斜が設けられている。
【００４３】
そして、シャッター本体３２が開いている状態、すなわち、ストッパー５０が規制部６２より上に位置している状態では、図８（ａ）に示すように可動突出部５８が最も突出している状態が維持されている。
【００４４】
網戸２８が縦枠２２ｂに当接され、かつ、可動突出部５８が最も突出している状態でシャッター本体３２が降下すると、図８（ｂ）に示すようにストッパー５０の接触面５８ｂが規制部６２の下傾斜面６２ｂと対面して接触する。このとき、可動突出部５８は規制部６２によりシャッター本体３２側に押圧されて退行移動し、ストッパー５０の中空部５７ａに収納される。そして、可動突出部５８は規制部６２と対向している間は図８（ｃ）に示すように押圧され続け、規制部６２の下方に抜けた際には、その姿勢をほぼ維持したまま圧縮ばね５９により押し戻されて水平方向に移動し、図７に示すように最も突出した状態となり下側の横枠２２ａに当接される。すなわち、第３変形例の可動突出部５８も第２変形例の可動突出部５４と同様に、ストッパー５０が上方から下方に向かって移動する際には、規制部６２と接触してシャッター本体３２側に退行移動するように構成されている。
【００４５】
このように、可動突出部５４、５８を有するストッパー５０を備えた第２及び第３変形例の窓ユニット１０によれば、ストッパー５０が上方から下方に向かって移動する際に規制部６０、６２と接触しても、可動突出部５４、５８がストッパー本体５２、５７に収納されて、滑らかに規制部６０、６２とすれ違うことが可能である。このため、シャッター本体３２を閉める際に、規制部６０、６２の位置を意識することなくシャッター本体３２を降下させることができるので、ユーザーの利便性がより高い窓ユニット１０を提供することが可能である。
【００４６】
一方、ストッパー５０が規制部６０、６２の下方に移動した後、室外側からシャッター本体３２を開けようとすると、図６（ｅ）、図８（ｅ）に示すように突出している可動突出部５４、５８が規制部６０の下面に当接され、可動突出部５４、５８は退行移動しないので、シャッター本体３２の上昇を規制することが可能である。
【００４７】
また、第２変形例の窓ユニットは、可動突出部５４の曲面部５４ａが規制部６０の下面に当接されると共に、ストッパー５０の係合突起５４ｂが規制部６０の係合凹部６０ａと係合して、シャッター本体３２の上昇が規制される。このため、ストッパー５０と規制部６０とが単に接触しているだけでなく、ストッパー５０の係合突起５４ｂと規制部６０の係合凹部６０ａとが係合し、より強固にシャッター本体３２の上昇を規制することが可能である。
【００４８】
上記実施形態においては、シャッター本体３２のストッパー５０と網戸２８又は外障子２６の規制部２６ａ、２８ａ、６０、６２とを室内側から見て左側の縦枠２２ｂ近傍に備えた例について説明したが、必ずしも左側の縦枠２２ｂ近傍に備える必要はなく、シャッター本体３２と網戸２８又は外障子２６との間の障害物のない空間であって、ストッパー５０と規制部２６ａ、２８ａ、６０、６２とが上下に位置するように配置可能な場所であれば構わない。
【００４９】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００５０】
【図１】本実施形態に係る窓ユニットの概略を示す斜視図である。
【図２】窓ユニットの縦断面図である。
【図３】図３（ａ）は、シャッター本体を下降させる状態を示す図である。図３（ｂ）は、シャッター本体を下側の横枠に当接させた状態を示す図である。図３（ｃ）は、シャッター本体を下側の横枠に当接させた後に網戸を縦枠に当接させた状態を示す図である。
【図４】室外側から不正に上昇されることを防止する機能を備えた窓ユニットの第１変形例である。
【図５】第２変形例のストッパーが下枠に当接された状態を示す図である。
【図６】図６（ａ）は、第２変形例のストッパーが規制部より上方に位置する状態を示す図である。図６（ｂ）は、第２変形例のストッパーが降下して規制部と接触した状態を示す図である。図６（ｃ）は、第２変形例のストッパーが規制部により最も押圧されている状態を示す図である。図６（ｄ）は、第２変形例のストッパーが規制部に係合してシャッター本体の上昇が規制されている状態を示す図である。
【図７】第３変形例のストッパーが下枠に当接された状態を示す図である。
【図８】図８（ａ）は、第２変形例のストッパーが規制部より上方に位置する状態を示す図である。図８（ｂ）は、第３変形例のストッパーが降下して規制部と接触した状態を示す図である。図８（ｃ）は、第３変形例のストッパーが規制部により最も押圧されている状態を示す図である。図８（ｄ）は、第３変形例のストッパーが規制部に係合してシャッター本体の上昇が規制されている状態を示す図である。
【符号の説明】
【００５１】
１０  窓ユニット、２０  建具、２６  外障子、２６ａ  規制部、
２８  網戸、２８ａ  規制部、３０  シャッターユニット、
３２  シャッター本体、３２c  ストッパー、３４  収納部、
５０  ストッパー、５４  可動突出部、５８  可動突出部
【図１】
2008019609.tif 000003
【図２】
2008019609.tif 000004
【図３】
2008019609.tif 000005
【図４】
2008019609.tif 000006
【図５】
2008019609.tif 000007
【図６】
2008019609.tif 000008
【図７】
2008019609.tif 000009
【図８】
2008019609.tif 000010